(57)【特許請求の範囲】
【請求項１】
玄関に設置された玄関子機（１）の呼出スイッチ（１０）を押すことにより室内親機（２）の呼出検出回路（２０）で呼出検出を行って第１の呼出音発生回路（２１）を通じて第１の呼出音を送出し呼出スピーカ（２４）を鳴動させ、前記玄関子機の子機スピーカ（１２）、子機マイク（１３）と前記室内親機の親機スピーカ（２５）、親機マイク（２６）により通話を行い、前記玄関の電気錠（５）を前記室内親機の操作で解錠するインターホン装置であって、
所定の周波数の信号列（Ｓ11）をリモコンスピーカ（４３）から鳴動させて前記玄関子機の前記子機マイクに入力させるリモコン呼出スイッチ（３）を備え、前記室内親機は前記信号列を受信し前記呼出検出回路で呼出検出を行って第２の呼出音として前記呼出スピーカを鳴動させる第２の呼出音発生回路（２２）と、前記第２の呼出音発生回路の動作時に前記玄関の電気錠を所定時間解錠する電気錠駆動回路（３１）とを備えたことを特徴とするインターホン装置。
【発明の詳細な説明】
【０００１】
【発明の属する技術分野】
本発明はインターホン装置に係わり、呼出時に鳴動される呼出音のパターンの相違に基づいて通話等の呼出応答前に来訪者を容易に判別して、該装置における操作の利便性の向上を図るインターホン装置に関する。
【０００２】
【従来の技術】
従来からこの種のインターホン装置として、図３のブロック図に示す構成のインターホン装置が提案されている。同図に示すインターホン装置は、通常、住戸の玄関（住戸玄関）に設置される玄関子機５１と、住戸内に設置され玄関子機５１とラインＬ51を介して接続された室内親機５２と、住戸玄関に設置され室内親機５２とラインＬ55を介して接続された電気錠５５とで構成されている。
【０００３】
玄関子機５１は、来訪者や帰宅時等の家族が住戸内の居住者を呼び出す時に押下操作（呼出操作）する呼出スイッチ６０と、詳述しない室内親機５２からラインＬ51を介して供給される電源により常時点灯している表示灯６１と、呼出操作を行った来訪者または帰宅時等の家族が、呼び出した住戸内の居住者との通話を成立させるために用いる子機スピーカ６２、子機マイク６３と、２線側にラインＬ51が接続され、４線側に子機スピーカ６２、子機マイク６３がそれぞれ接続された２線４線変換回路６４とを備えており、２線４線変換回路６４には他端が基準電位点に接続された呼出スイッチ６０の一端、抵抗Ｒ51を介して基準電位点に接続された表示灯６１がそれぞれ接続されている。
【０００４】
室内親機５２は、玄関子機５１の呼出スイッチ６０が押下されたことを呼出検出する呼出検出回路７０と、呼出検出回路７０の制御により能動にされ呼出音信号Ｓ53を出力する呼出音発生回路７１と、呼出音発生回路７１から出力された呼出音信号Ｓ53を増幅する呼出音アンプ７２と、呼出音アンプ７２を介した呼出音信号Ｓ53により呼出音を鳴動する呼出スピーカ７３と、呼び出された住戸内の居住者が、呼出操作を行った来訪者または帰宅時等の家族との通話を成立させるために用いる受話アンプ７６に接続された親機スピーカ７４、送話アンプ７７に接続された親機マイク７５と、２線側にラインＬ51が接続され、４線側に受話アンプ７６の入力側、送話アンプ７７の出力側がそれぞれ接続された２線４線変換回路７８とを備えており、２線４線変換回路７８には出力側が呼出音発生回路７１、呼出音アンプ７２を介して呼出スピーカ７３に接続された呼出検出回路７０の入力側が接続されている。
【０００５】
さらに室内親機５２は、住戸玄関に設置された電気錠５５を解錠操作する解錠スイッチ８０と、解錠スイッチ８０の操作により動作する電気錠駆動回路７９および駆動リレー７９ａとを備え、駆動リレー７９ａはラインＬ55を介して電気錠５５と接続されている。
【０００６】
このように構成されたインターホン装置において、来訪者または帰宅時等の家族が住戸内の居住者を呼び出すために、住戸玄関に設置された玄関子機５１の呼出スイッチ６０を押下すると、２線４線変換回路６４からラインＬ51を介して住戸内に設置された玄関親機５２に呼出信号Ｓ51が送出される。
【０００７】
室内親機５２に入力された呼出信号Ｓ51は２線４線変換回路７８を介して呼出検出回路７０に入力され、呼出検出回路７０は入力した呼出信号Ｓ51から玄関子機５１からの呼び出しを検出した呼出検出信号Ｓ52を呼出音発生回路７１に送出する。呼出検出信号Ｓ52を入力検出した呼出音発生回路７１は呼出スピーカ７３を鳴動させるための呼出音信号Ｓ53を出力する。この呼出音信号Ｓ53は呼出音アンプ７２を介して増幅され、呼出スピーカ７３にて呼出音として鳴動されることから、住戸内の居住者に玄関子機５１からの呼び出しが報知される。
【０００８】
また、玄関子機５１からの呼び出しを確認した住戸内の居住者が、呼出操作を行った来訪者または帰宅時等の家族をそれぞれ判別するためには、住戸内の居住者が用いる親機スピーカ７４および親機マイク７５と、受話アンプ７６および送話アンプ７７、２線４線変換回路７８、ラインＬ51、玄関子機５１の２線４線変換回路６４を介する呼出操作を行った来訪者または帰宅時等の家族が用いる子機スピーカ６２および子機マイク６３間の形成された通話路を介して、音声信号Ｓ60を送受信させ通話を成立させた後にそれぞれ判別していた。
【０００９】
そして帰宅時等の家族を判別した場合は、解錠スイッチ８０を操作して住戸玄関に設置された電気錠５５を解錠して家族を住戸内に招き入れた。
【００１０】
【発明が解決しようとする課題】
しかしながら、従来のインターホン装置は以上のように構成されているので、住戸玄関に設置される玄関子機５１からの呼出時において、呼び出された住戸内の居住者は、室内親機５２を用いて呼出応答し通話を成立させるまで呼出操作を行った来訪者または帰宅時等の家族の判別ができないといった難点があった。故に、特に住戸内に子供のみが留守番している場合において、子供が判別しかねる不審な来訪者等からの呼出時における防犯性や安全性が不十分であるといった難点があった。更に帰宅時等の家族と判別できた場合、わざわざ住戸玄関に設置された電気錠５５を解錠して家族を住戸内に招き入れなければならなかった。
【００１１】
本発明は上述の難点を解消するためになされたもので、住戸玄関に設置される玄関子機からの呼出時において、住戸内に設置される室内親機で鳴動される呼出音のパターンを来訪者用の呼出音と家族用の呼出音とで区別させることにより、呼び出された住戸内の居住者が鳴動される呼出音のパターンの相違に基づいて来訪者または帰宅時等の家族からの呼び出しをそれぞれ判別することが可能で防犯性、安全性が向上されるとともに、該装置における操作の利便性の向上が図れるインターホン装置を提供することを目的とする。
【００１２】
【課題を解決するための手段】
このような目的を達成するため、本発明によるインターホン装置は、玄関に設置された玄関子機の呼出スイッチを押すことにより室内親機の呼出検出回路で呼出検出を行って第１の呼出音発生回路を通じて第１の呼出音を送出し呼出スピーカを鳴動させ、玄関子機の子機スピーカ、子機マイクと室内親機の親機スピーカ、親機マイクにより通話を行い、玄関の電気錠を室内親機の操作で解錠するインターホン装置であって、所定の周波数の信号列をリモコンスピーカから鳴動させて玄関子機の子機マイクに入力させるリモコン呼出スイッチを備え、室内親機は信号列を受信し呼出検出回路で呼出検出を行って第２の呼出音として呼出スピーカを鳴動させる第２の呼出音発生回路と、第２の呼出音発生回路の動作時に玄関の電気錠を所定時間解錠する電気錠駆動回路とを備えたことを特徴とするものである。
【００１３】
このようなインターホン装置によれば、住戸玄関にて来訪者または帰宅時等の家族が住戸内の居住者を呼び出す時において、来訪者の玄関子機における該呼出操作、帰宅時等の家族のみが携帯可能なリモコン呼出スイッチの該呼出操作によって、住戸内に設置される室内親機で鳴動される呼出音のパターンを来訪者用の呼出音と家族用の呼出音とで区別させることにより、呼び出された住戸内の居住者は、鳴動される呼出音のパターンの相違に基づいて来訪者または帰宅時等の家族からの呼び出しをそれぞれ判別することができ、かつ帰宅時等の家族からの呼び出しの場合、玄関の電気錠を所定時間解錠することができる。
【００１４】
【発明の実施の形態】
以下、本発明によるインターホン装置を適用した好ましい形態の一実施例について、図面を参照して説明する。図１は本発明によるインターホン装置の一実施例の構成を示すブロック図であり、通常、住戸の玄関（住戸玄関）に設置される玄関子機１と、住戸内に設置され玄関子機１とラインＬ1を介して接続された室内親機２と、住戸内の居住者の家族のみが携帯可能で呼出時に適宜に操作（呼出操作）されるリモコン呼出スイッチ３と、住戸玄関に設置され室内親機２とラインＬ5を介して接続された電気錠５とで構成されている。
【００１５】
玄関子機１は、主に来訪者が住戸内の居住者を呼び出す時に押下操作（呼出操作）する呼出スイッチ１０と、詳述しない室内親機２からラインＬ1を介して供給される電源により常時点灯している表示灯１１と、呼出操作を行った来訪者が呼び出した住戸内の居住者との通話を成立させるために用いる子機スピーカ１２、子機マイク１３と、２線側にライン接続端子Ｔ1を介してラインＬ1が接続され、４線側に子機スピーカ１２、子機マイク１３がそれぞれ接続された２線４線変換回路１４とを備えており、２線４線変換回路１４には他端が基準電位点に接続された呼出スイッチ１０の一端、抵抗Ｒ1を介して基準電位点に接続された表示灯１１がそれぞれ接続されている。
【００１６】
室内親機２は、来訪者または帰宅時等の家族からの呼び出しをそれぞれ検出する呼出検出回路２０と、呼出検出回路２０の制御により能動にされ、来訪者からの呼び出しを報知するための第１の呼出音信号Ｓ3を出力する第１の呼出音発生回路２１、帰宅時等の家族からの呼び出しを報知するための前述の第１の呼出音信号Ｓ3とは異なる信号パターンの第２の呼出音信号Ｓ13を出力する第２の呼出音発生回路２２と、第１、第２の呼出音発生回路２１、２２からそれぞれ出力された第１、第２の呼出音信号Ｓ3、Ｓ13を増幅する呼出音アンプ２３と、呼出音アンプ２３を介した第１、第２の呼出音信号Ｓ3、Ｓ13により異なるパターンの呼出音（来訪者用の呼出音、家族用の呼出音）を鳴動する呼出スピーカ２４と、呼び出された住戸内の居住者が、主に玄関子機１にて呼出操作を行った来訪者との通話を成立させるために用いる受話アンプ２７に接続された親機スピーカ２５、送話アンプ２８に接続された親機マイク２６と、特定の周波数帯域の信号のみを通過させるバンドパスフィルタ２９と、２線側にライン接続端子Ｔ2を介してラインＬ1が接続され、４線側に受話アンプ２７の入力側、送話アンプ２８の出力側がそれぞれ接続された２線４線変換回路３０と、第２の呼出音発生回路２２の動作時に所定時間駆動される電気錠駆動回路３１および駆動リレー３１ａを備えており、２線４線変換回路３０には出力側が第１の呼出音発生回路２１および第２の呼出音発生回路２２、呼出音アンプ２３を介して呼出スピーカ２４に接続された呼出検出回路２０の入力側が接続されており、バンドパスフィルタ２９の入力側は２線４線変換回路３０の４線側と受話アンプ２７の入力側の接続点に、出力側は呼出検出回路２０の入力側にそれぞれ接続されている。
【００１７】
リモコン呼出スイッチ３は、帰宅時等の家族が住戸内の居住者を呼び出す時に押下操作する呼出スイッチ４０と、呼出スイッチ４０が押下されることにより能動にされ、図２のパルス波形図に示す所定の周波数４kＨz（長さ１０mＳ、休止時間１０mＳ）の信号列Ｓ11を出力する信号列発生回路４１と、信号列発生回路４１から出力された信号列Ｓ11を増幅する信号列アンプ４２と、信号列アンプ４２を介した信号列Ｓ11により鳴動され玄関子機１の子機マイク１３に信号列Ｓ11を送信するリモコンスピーカ４３とを備えており、入力側に他端が基準電位点に接続された呼出スイッチ４０の一端が接続された信号列発生回路４１の出力側は、信号列アンプ４２を介してリモコンスピーカ４３に接続されている。
【００１８】
このように構成されたインターホン装置において、以下、その動作について説明する。来訪者が住戸内の居住者を呼び出すために、住戸玄関に設置された玄関子機１の呼出スイッチ１０を押下すると、２線４線変換回路１４から呼出信号Ｓ1が送出され、ライン接続端子Ｔ1、ラインＬ1を介して室内子機２のライン接続端子Ｔ2に入力される。
【００１９】
室内親機２に入力された呼出信号Ｓ1は２線４線変換回路３０を介して呼出検出回路２０に入力され、呼出検出回路２０は入力した呼出信号Ｓ1から来訪者による玄関子機１からの呼び出しを検出した呼出検出信号Ｓ2を第１の呼出音発生回路２１に送出する。呼出検出信号Ｓ2を入力検出した第１の呼出音発生回路２１は呼出スピーカ２４を鳴動させるための第１の呼出音信号Ｓ3を出力する。この第１の呼出音信号Ｓ3は呼出音アンプ２３を介して増幅され、呼出スピーカ２４にて来訪者用の呼出音として鳴動されることから、住戸内の居住者に来訪者による呼び出しが報知される。
【００２０】
また、来訪者による玄関子機１からの呼び出しを確認した居住者が、来訪者が誰なのかを判別するためには、住戸内の居住者が用いる親機スピーカ２５および親機マイク２６と、受話アンプ２７および送話アンプ２８、２線４線変換回路３０、ライン接続端子Ｔ2、ラインＬ1、玄関子機１のライン接続端子Ｔ1、２線４線変換回路１４を介する呼出操作を行った来訪者が用いる子機スピーカ１２および子機マイク１３間の形成された通話路を介して、呼出応答による音声信号Ｓ10を送受信させ通話を成立させた後に判別することができる。
【００２１】
次に、住戸内の居住者が知り得る帰宅時等の家族が住戸内の居住者を呼び出すために、玄関子機１が設置される住戸玄関の近傍でリモコン呼出スイッチ３の呼出スイッチ４０を押下すると、信号列発生回路４１が能動にされ、リモコンスピーカ４３を鳴動させるための図２のパルス波形図に示す信号列Ｓ11が出力される。この信号列Ｓ11は信号列アンプ４２を介して増幅され、リモコンスピーカ４３を鳴動させて玄関子機１の子機マイク１３に送信される。
【００２２】
玄関子機１の子機マイク１３に入力された信号列Ｓ11は、上述の来訪者による呼出時と同様に、２線４線変換回路１４、ライン接続端子Ｔ1、ラインＬ1、室内親機２のライン接続端子Ｔ2を介して２線４線変換回路３０に入力される。２線４線変換回路３０は信号列Ｓ11を入力検出することにより、信号列Ｓ11の信号伝送ラインを呼出検出回路２０への接続からバンドパスフィルタ２９への接続に切り替えて信号列Ｓ11を送出する。よって、信号列Ｓ11はバンドパスフィルタ２９を通過して呼出検出回路２０に入力される。呼出検出回路２０は入力した信号列Ｓ11から帰宅時等の家族によるリモコン呼出スイッチ３からの呼び出しを検出した呼出検出信号Ｓ12を第２の呼出音発生回路２２に送出する。呼出検出信号Ｓ12を入力検出した第２の呼出音発生回路２２は呼出スピーカ２４を上述の来訪者による呼出時とは異なるパターンで鳴動させるための第２の呼出音信号Ｓ13を出力する。この第２の呼出音信号Ｓ13は呼出音アンプ２３を介して増幅され、呼出スピーカ２４にて上述の来訪者用の呼出音とは異なるパターンの家族用の呼出音として鳴動されることから、住戸内の居住者に帰宅時等の家族による呼び出しが報知される。第２の呼出音発生回路２２が動作すると電気錠駆動信号Ｓ14を電気錠駆動回路３１に出力し、電気錠駆動回路３１は駆動リレー３１ａをメイクさせ、玄関に設置された電気錠５を解錠する。よって、呼び出された住戸内の居住者は呼出応答による通話を成立せずに防犯性および安全性を確保可能で、住戸玄関を解錠することができることから、該装置における操作の利便性も向上される。
【００２３】
尚、上記実施例ではインターホン装置について説明したが、これに限定されず、玄関子機に住戸玄関の周囲近傍を撮影する映像撮像機能を、室内親機に前述の撮影された映像の再生機能をそれぞれ付加したテレビドアホン装置に適用させてもよく、呼出操作を行う来訪者または帰宅時等の家族を映像のみならず鳴動される呼出音のパターンの相違により容易に判別することが可能となる。
【００２４】
【発明の効果】
以上の説明から明らかなように、本発明のインターホン装置によれば、来訪者または帰宅時等の家族が住戸内の居住者を呼び出す時において、来訪者の住戸玄関に設置される玄関子機における該呼出操作、帰宅時等の家族のみが携帯可能なリモコン呼出スイッチの該呼出操作によって、住戸内に設置される室内親機で鳴動される呼出音のパターンを来訪者用の呼出音と家族用の呼出音とで区別させることにより、呼び出された住戸内の居住者は鳴動される呼出音のパターンの相違に基づいて来訪者または帰宅時等の家族からの呼び出しをそれぞれ判別することができ、帰宅時等の家族からの呼出時には呼出応答せずに所定時間住戸玄関を解錠することができ、該装置における操作の利便性が向上されることから、住戸内に子供のみが留守番している場合における子供が判別しかねる不審な来訪者等からの呼び出しに対する防犯性や安全性も向上される。
【図面の簡単な説明】
【図１】本発明によるインターホン装置の一実施例の構成を示すブロック図。
【図２】図１のリモコン呼出スイッチから送信される信号列を示すパルス波形図。
【図３】従来のインターホン装置の構成を示すブロック図。
【符号の説明】
１・・・・・玄関子機
２・・・・・室内親機
３・・・・・リモコン呼出スイッチ
５・・・・・電気錠
１０・・・・・呼出スイッチ
１２・・・・・子機スピーカ
１３・・・・・子機マイク
２０・・・・・呼出検出回路
２１・・・・・第１の呼出音発生回路
２２・・・・・第２の呼出音発生回路
２４・・・・・呼出スピーカ
２５・・・・・親機スピーカ
２６・・・・・親機マイク
３１・・・・・電気錠駆動回路
４３・・・・・リモコンスピーカ
Ｓ11・・・・・信号列
【図１】
0004104738.tif 000002
【図２】
0004104738.tif 000003
【図３】
0004104738.tif 000004